(57)【特許請求の範囲】
【請求項１】
浅底トレイ状の受け皿と、該受け皿に収容される湿潤強度が４９ｃＮ以上の板状の尿吸収マットと、該吸収マットの上面の全域を被覆する液透過性の不織布とを備え、該不織布が、前記尿吸収マットの前記上面に密接するように、所定位置に固定されているペット用トイレ。
【請求項２】
前記尿吸収マットの上面又は前記受け皿の周縁部に、前記不織布の固定手段が設けられている請求項１記載のペット用トイレ。
【請求項３】
前記受け皿が、該受け皿の所定位置を横切る線状の折曲部を有し、該折曲部の両側に前記吸収マット及び前記不織布がそれぞれ配されており、前記折曲部において前記受け皿が折曲して、水平部及び該水平部と所定角度をなす起立部が形成されるようになされている請求項１又は２記載のペット用トイレ。
【請求項４】
前記尿吸収マットが、植物性繊維若しくはパルプ又は粘土鉱物系材料を含む成形原料を板状に成形したものである請求項１〜３の何れかに記載のペット用トイレ。
【請求項５】
前記成形原料が、前記植物性繊維又は前記パルプの少なくとも一種からなる汚液処理基材と、抗菌性を有する界面活性剤又は界面活性剤及び抗菌剤と、バインダー、架橋剤又は水の少なくとも一種とを含み、嵩密度が０．０５〜０．３ｇ／ｃｍ3、飽和吸水量が２ｇ／１ｇ以上、厚みが３ｍｍ以上である請求項４記載のペット用トイレ。
【請求項６】
前記不織布が、ヒートロール不織布、スパンボンド不織布又はエアスルー不織布からなり、坪量が１０〜１００ｇ／ｍ2である請求項１〜５の何れかに記載のペット用トイレ。
【請求項７】
前記尿吸収マットの吸水速度が３０秒以下である請求項１ないし６の何れかに記載のペット用トイレ。
【請求項８】
請求項１記載のペット用トイレを用いたペットの排泄物の処理方法であって、前記不織布上にペットが排泄物を排泄した後、前記不織布を取り外し、次いで前記排泄物を前記不織布で包んで廃棄するペットの排泄物の処理方法。
【発明の詳細な説明】
【０００１】
【発明の属する技術分野】
本発明は、各種ペット、特に犬の飼育に好適に用いられるペット用トイレに関する。
【０００２】
【従来の技術及び発明が解決しようとする課題】
特開平７−６７４８９号公報には、犬や猫などのペットの糞尿を処理するための糞尿処理用床が記載されている。この処理用床は、トレイを多孔質部材で上下に区画し、上側に撥水機能を有する砂を敷設し、下層に吸水性樹脂からなる粉粒状の吸尿部材を敷設してなるものである。
【０００３】
しかし、前記処理用床は、上層の砂を常時さらさらにしておき、下層の吸尿部材で尿を吸収しようとするものであり、尿の処理を主目的としている。従って、糞を処理する場合には、上層の砂をすべて交換しなければならないという点で、従来のいわゆる猫砂と何ら変わるところがなく、処理に手間がかかり、また経済的でもない。
【０００４】
従って、本発明は、糞及び尿の何れも容易に且つ経済的に処理し得るペット用トイレを提供することを目的とする。
【０００５】
【課題を解決するための手段】
本発明は、浅底トレイ状の受け皿と、該受け皿に収容される湿潤強度が４９ｃＮ以上の板状の尿吸収マットと、該吸収マットの上面の全域を被覆する液透過性の不織布とを備え、該不織布が、前記尿吸収マットの前記上面に密接するように、所定位置に固定されているペット用トイレを提供することにより前記目的を達成したものである。
【０００６】
また本発明は、前記ペット用トイレを用いたペットの排泄物の処理方法であって、前記不織布上にペットが排泄物を排泄した後、前記不織布を取り外し、次いで前記排泄物を前記不織布で包んで廃棄するペットの排泄物の処理方法を提供するものである。
【０００７】
【発明の実施の形態】
以下本発明を、その好ましい実施形態に基づき図面を参照しながら説明する。図１には本発明のペット用トイレの一実施形態の一部破断斜視図が示されている。また図２には図１に示すペット用トイレの一部分解斜視図が示されている。
【０００８】
図１及び図２に示すペット用トイレ１は、大型の動物用として特に好適に用いられるものであり、トレイ状の受け皿２、平板状の尿吸収マット３、及び液透過性の不織布４を備えている。
【０００９】
受け皿２は平面視して矩形状であり、その四辺の周縁部６がすべて起立した形態を有する浅底トレイ状のものである。周縁部６によって取り囲まれた領域も矩形状をしており、該領域は尿吸収マット３の収容部７となっている。収容部７の底面を基準とした周縁部６の高さは、尿吸収マット３の厚みよりも若干大きくなっている。
【００１０】
受け皿２は、その中央部に、該受け皿２を二分する線状の折曲部５を有している。折曲部５はロック機構付きのヒンジから構成されている。受け皿２は、折曲部５の位置で２つに折曲することができ、且つ前記ロック機構によってその折曲状態が保持される。斯かるロック機構付きのヒンジとしては従来公知のものを用いることができる。
【００１１】
受け皿２における収容部７には、その周縁に、該収容部７に収容される尿吸収マット３の固定手段８が備えられている。本実施形態においては、固定手段８として面ファスナーのループ部材又はフック部材が用いられている。
【００１２】
尿吸収マット３は板状のものであり、４枚用いられている。各尿吸収マット３は、前述した収容部７を四等分した形状となっている。尿吸収マット３は、少なくともその不織布４との対向面が平坦面であることが好ましい。これによって、尿吸収マット３と不織布４とが密接し、両者間に尿残りの原因となる空間が形成されなくなる。その結果、尿に起因する悪臭の発生が抑制される。
【００１３】
尿吸収マット３における収容部７との対向面には、収容部７に備えられている面ファスナーのループ部材又はフック部材に対応する位置に、該ループ部材又は該フック部材と係合するフック部材又はループ部材が備えられている。これによって、尿吸収マット３と受け皿２とがしっかりと固定される。
【００１４】
尿吸収マット３は、植物性繊維若しくはパルプ又は粘土鉱物系材料を含む成形原料を板状に成形したものであることが好ましい。尿吸収マット３を構成する材料の詳細については後述する。
【００１５】
尿吸収マット３は、その厚さが好ましくは３ｍｍ以上、更に好ましくは５〜５０ｍｍ、一層好ましくは１０〜２０ｍｍである。これによって、シート状の吸収マットに比べて尿の吸収量が多くなり、また強度も高くなる。更に、粒状タイプの吸尿材と異なり、取扱い時に粉塵が発生することが殆どなく廃棄が容易となる。
【００１６】
尿吸収マット３は、その嵩密度が０．０５〜０．３ｇ／ｃｍ３  、特に０．１〜０．２５ｇ／ｃｍ３  、とりわけ０．１５〜０．２ｇ／ｃｍ３  であることが好ましい。嵩密度を前記範囲内とすることにより、成形物としての必要強度を維持しつつ、尿の吸収速度を向上させることができる。嵩密度は、次の方法により測定される。先ず、尿吸収マット３から、縦６ｃｍ、横６ｃｍ、厚さ１ｃｍの試験片（体積３６ｃｍ３  ）を裁断する。次に、該試験片の重量を測定する。測定された重量から次式により嵩密度（ｇ／ｃｍ３  ）を算出する。
嵩密度（ｇ／ｃｍ３  ）＝重量（ｇ）／３６（ｃｍ３  ）
【００１７】
尿吸収マット３は尿の吸収性に優れたものであり、十分な吸収性を確保する観点から、その飽和吸水量が、２ｇ／１ｇ以上、特に５ｇ／１ｇ以上、とりわけ８ｇ／１ｇ以上であることが好ましい。飽和吸水量はその上限値に特に制限はなく、高いほど好ましいが、上限値は１０ｇ／１ｇ程度となる。飽和吸水量は、次の方法により測定される。先ず、尿吸収マット３を、厚みはそのままで縦６０ｍｍ、横６０ｍｍに裁断し、試験片を採取する。該試験片を１０５℃に設定した乾燥器内で１時間乾燥させた後、デシケーター内に移して室温まで冷却させる。然る後、ＤＷ法を実施する装置として一般的に知られている図３に示す装置（Ｄｅｍａｎｄ  Ｗｅｔｔａｂｉｌｉｔｙ  Ｔｅｓｔｅｒ）を用い、図３に示すように、ビュレット内の生理食塩水の液面を等水位にセットしたガラスフィルター上に前記試験片を載せ、活栓を開栓して該試験片に生理食塩水を吸水させ、気泡が出なくなったときの吸水量（この吸水量は、生理食塩水の水位の低下量を示すビュレットの目盛りで測定される）を測定し、この値を飽和吸水量（ｇ）とする（ｎ＝３の平均値。試験片１つにつき測定は１回）。
【００１８】
また、尿吸収マット３は、その吸水速度が３０秒以下、特に１０秒以下、とりわけ３秒以下となっていることが、排泄された尿による四肢の汚れが防止される点から好ましい。吸水速度はその下限値に制限はなく、速いほど好ましいが、下限値は１秒程度となる。吸水速度は、次の方法により測定される。先ず、尿吸収マット３を、厚みはそのままで縦６０ｍｍ、横６０ｍｍに裁断し、試験片を採取する。該試験片を１０５℃に設定した乾燥器内で１時間乾燥させた後、デシケーター内に移して室温まで冷却させる。然る後、前記試験片の中央に２．５ｃｃの生理食塩水を滴下し、滴下直後から水滴が該試験片に吸収されるまでの時間を測定し、これを吸水速度（秒）とする（ｎ＝３の平均値。試験片１つにつき測定は１回）。
【００１９】
尿吸収マット３は、尿を吸収して湿潤状態となっても平板状の形状が維持でき、取扱い及び廃棄が容易となる点から、その湿潤強度が４９ｃＮ以上であり、好ましくは９８ｃＮ以上、更に好ましくは１９６ｃＮ以上である。湿潤強度は、その上限値に特に制限はなく、高いほど好ましいが、他の必要強度とのバランスの点から、１９６ｃＮ程度が上限値となる。湿潤強度は次の方法により測定される。尿吸収マット３を、厚みはそのままで縦８０ｍｍ、横２５ｍｍに裁断し、試験片を採取する。該試験片を水に５分間浸漬する。浸漬後、図４に示すように、該試験片を、５０ｍｍ間隔で設けられた三角柱状の２つの支持台上に、該試験片の縦方向の中央部が２つの該支持台間の中央にくるように載置する。その後、プッシュプルケージを、該試験片の中心に押しつけ、該試験片が折れたときのゲージ圧を測定し、これを湿潤強度（ｃＮ）とする（ｎ＝３の平均値）。
【００２０】
尿吸収マット３の上面には、その周縁に不織布４の固定手段９が備えられている。本実施形態においては、固定手段９として面ファスナーのフック部材が用いられている。
【００２１】
尿吸収マット３の上面の全域を被覆する不織布４としては、液透過性のものが用いられる。液透過性を良好にするため、不織布４に各種親水化処理を施してもよい。犬等のペットは不織布４上で排泄を行うので、不織布４は十分な強度を有していることが好ましい。これらの要件を満たす不織布としては、ヒートロール不織布、スパンボンド不織布、エアスルー不織布等が挙げられる。これらの不織布の坪量は、十分な液透過性及び機械的強度の確保、並びに経済性の点から、１０〜１００ｇ／ｍ２、特に１５〜３５ｇ／ｍ２であることが好ましい。
【００２２】
不織布４は、尿吸収マット３の上面に備えられた固定手段９としての面ファスナーのフック部材によって、尿吸収マット３に固定され、不織布４と尿吸収マット３の上面とが密接状態となる。この場合、不織布４の有する繊維間隙に前記フック部材のフックが入り込み、不織布４を構成する繊維に該フックが係合するので、不織布４にループ部材を別途取り付ける必要はない。
【００２３】
次に、本実施形態のペット用トイレ１の使用方法について説明する。犬等のペットは、トイレ１における不織布４上に排泄を行う。尿が排泄された場合には、尿は不織布４を通じて速やかに尿吸収マット３に吸収される。この場合、前述した通り、不織布４と尿吸収マット３の上面とは密接しているので、両者間における尿残りは極めて少ない。従って、尿に起因する悪臭の発生が効果的に防止される。また、後述するように、尿吸収マット３に消臭剤や抗菌剤を含有させておくことで、悪臭の発生が一層防止される。従って、トイレ１の設置場所を考慮する必要がなく、衛生的に使用できる。更に、前述の通り、尿吸収マット３は尿の吸収性が十分に高いから、多量の尿を吸収することができる。その結果、悪臭の発生が防止されることと相俟って、尿吸収マット３を長期間取り換えずに使用できる。尿吸収マット３は、前述の通り、湿潤強度が高く、尿を吸収した後でもその形状を維持できるので、使用後においてはこれをたやすく取り出すことができ、廃棄又は可燃ごみとして容易に焼却できる。
【００２４】
一方、不織布４上に糞が排泄された場合には、尿吸収マット３の上面に備えられたフック部材と不織布４との係合を解き、不織布４を尿吸収マット３から取り外す。次いで糞を不織布４で包んで廃棄する。従って、手を汚さずに容易に糞を廃棄できる。この場合、尿吸収マット３は、尿の吸収の程度に応じて取り換えてもよく、或いはそのまま使用し続けてもよい。
【００２５】
このように、本実施形態のトイレ１によれば、尿及び糞の何れも容易に処理することができる。
【００２６】
本実施形態のトイレ１は図５に示す使用形態とすることもできる。図５に示す使用形態は雄犬用として特に好適な使用形態である。図５に示す使用形態においては、受け皿２が折曲部５の位置で２つに折曲されて、水平部Ｈ及び該水平部Ｈと所定角度をなす起立部Ｖが形成されている。水平部Ｈと起立部Ｖとのなす角度は適宜調整可能であり、一般には９０度前後とする。また該角度は前述した通りのロック機構により保持可能となっている。本使用形態においては、水平部Ｈの上面及び起立部Ｖの側面の何れもが尿を吸収できるので、排泄された尿による四肢の汚れが効果的に防止される。
【００２７】
次に、尿吸収マット３を構成する材料について説明する。尿吸収マット３は、植物性繊維若しくはパルプ又は粘土鉱物系材料を含んで構成されている。
【００２８】
尿吸収マット３が植物性繊維又はパルプ（以下これらを総称して汚液処理基材という）を含んでいる場合、尿吸収マット３は、その他の構成材料として抗菌性を有する界面活性剤又は界面活性剤及び抗菌剤と、バインダー、架橋剤又は水の少なくとも一種とを含んでいることが好ましい。本明細書において「植物性繊維」とは、植物体を構成する繊維又はその集合体であって、セルロース以外にリグニン、ヘミセルロース、樹脂分、灰分等の成分を含んでいるものをいう。また、「パルプ」とは、「植物性繊維」からセルロース以外の成分を極力除いた、セルロース純度の高いものをいい、いわゆる化学パルプがこれに該当する。
【００２９】
植物性繊維としては、グランドパルプ、おが屑、ジュート、ヤシ繊維等を、これらの１種又は２種以上で用いることができる。特に、尿の吸収性及び消臭効果の向上、並びに安定供給の観点から、グランドパルプ及び／又はおが屑を用いることが好ましい。グランドパルプ（ＧＰ）は、砕木パルプとも呼ばれるものでいわゆる機械パルプである。機械パルプには、ＧＰの他、ストーン砕木パルプ（ＳＧＰ）、リファイナー砕木パルプ（ＲＧＰ）、サーモメカニカルパルプ（ＴＭＰ）等があるが、本明細書では、これらを総称してグランドパルプという。グランドパルプのうち、消臭効果の観点から、ストーン砕木パルプを用いることが特に好ましい。
【００３０】
パルプとしては、古紙パルプを用いることが好ましい。特に吸水性の観点から、脱墨処理パルプを用いることが特に好ましい。
【００３１】
植物性繊維及びパルプは、それぞれ単独で汚液処理基材として用いてもよいし、両者を混合して汚液処理基材として用いてもよい。両者を混合する場合には、植物性繊維とパルプとの混合比（重量）は、植物性繊維：パルプ＝１０：１〜１：１００の範囲で適宜選択できる。
【００３２】
尿吸収マット３は、植物性繊維若しくはパルプ又はこれらの混合物を好ましくは５０〜９５重量％、特に７０〜９０重量％含有することが、尿の吸収性及び消臭効果の向上の点、並びに必要な強度を付与し得る点から好ましい。
【００３３】
尿吸収マット３に含まれる、抗菌性を有するか又は有しない界面活性剤は、尿吸収マット３の親水性及び尿の吸収速度の向上の目的で用いられる。これにより、尿吸収マット３が低密度、高多孔性であることと相俟って、吸水量及び吸水速度が向上する。
【００３４】
前記界面活性剤が抗菌性を有する場合には、尿等の排泄物を分解してアンモニアを生成する菌の繁殖を抑制できるので、周囲に悪臭を発散させることなく尿吸収マット３を長期間使用できる。一方、前記界面活性剤が抗菌性を有さない場合には、該界面活性剤を抗菌剤と併用することにより同様の効果を発現させ得る。
【００３５】
抗菌性を有する前記界面活性剤としては、カチオン性界面活性剤又は両性界面活性剤を用いることができる。カチオン性界面活性剤としては、例えば、塩化アルキルトリメチルアンモニウム、塩化ジアルキルジメチルアンモニウム、塩化ベンザルコニウム等を、これらの１種又は２種以上で用いることができ、特に、抗菌性の観点から、塩化ベンザルコニウムを用いることが好ましい。また、両性界面活性剤としては、例えば、アルキルジメチルアミノ酢酸ベタイン、アルキルジメチルアミンオキサイド、アルキルカルボキシメチルヒドロキシエチルイミダゾリニウムベタイン、アルキルアミドプロピルベタイン等を、これらの１種又は２種以上で用いることができ、特に、抗菌消臭性の観点から、アルキルジメチルアミンオキサイドを用いることが好ましい。尚、排尿処理成形物１の抗菌性を一層向上させるために、抗菌性を有する前記界面活性剤を、抗菌剤と併用してもよい。この場合、該抗菌剤は、水溶性のものが好ましい。
【００３６】
尿吸収マット３は、抗菌性を有する前記界面活性剤を好ましくは０．１〜５重量％、特に０．５〜３重量％含有することが、尿等の吸収性が向上すると共に悪臭の発散が防止されてマット３を長期間使用できることから好ましい。
【００３７】
抗菌性を有さない前記界面活性剤としては、非イオン性界面活性剤を用いることができる。非イオン性界面活性剤としては、例えば、グリセリン脂肪酸エステル、ソルビタン脂肪酸エステル、ポリオキシエチレンソルビタン脂肪酸エステル、ポリオキシエチレンアルキルエーテル、ポリオキシエチレングリコール脂肪酸エステル等を、これらの１種又は２種以上で用いることができ、特に、水に可溶という観点から、ＨＬＢ−数方式により算出されたＨＬＢ値が１０〜１９の非イオン性界面活性剤を用いることが好ましい。また、抗菌性を有さない界面活性剤と併用される抗菌剤としては、水溶性のものが好ましく、例えば、安息香酸ナトリウム、クロラミンＴ、クロルクレゾール、サルチル酸ナトリウム、臭化エチルトリメチルアンモニウム、ソルビン酸カリウム、デヒドロ酢酸ナトリウム、パラクロロフェノール、フェノール等を、これらの１種又は２種以上で用いることができ、特に、臭いや動物に対する安全性の観点から、安息香酸ナトリウムを用いることが好ましい。
【００３８】
尿吸収マット３は、抗菌性を有さない界面活性剤を好ましくは０．０１〜５重量％、更に好ましくは０．１〜５重量％、一層好ましくは０．１〜２重量％含有すると共に、前記抗菌剤を好ましくは０．００１〜５重量％、更に好ましくは０．１〜０．５重量％含有する。
【００３９】
前記バインダー、架橋剤又は水は、植物性繊維及びパルプの結合剤として使用される（以下、これらの成分を総称して繊維間結合剤という）。これら繊維間結合剤を含有させることにより、実用上必要とされる強度を尿吸収マット３に付与することができ、尿吸収マット３は取扱性及び廃棄性に優れ、長期間使用できるものとなる。
【００４０】
本明細書において「架橋剤」とは、水素結合により繊維間を架橋するものをいい、後述する湿式製造法により尿吸収マット３を製造する場合に特に好適に使用できる。また、「バインダー」とは、接着剤（同種あるいは異種の２つの固体を貼り合わせる目的で用いられる物質）のうち、上記「架橋剤」を除いたものをいう。
【００４１】
前記バインダーとしては、例えば、ポリビニルアルコール、化工澱粉、寒天、カルボキシメチルセルロース、ポリアクリルアミド等を、これらの１種又は２種以上で用いることができ、特に、吸水性の観点から、ポリビニルアルコール及び／又は化工澱粉を用いることが好ましい。更に、ポリビニルアルコール及び化工澱粉は、何れも糊化温度が６０℃以上、特に７０〜８０℃であることが好ましい。これらバインダーの糊化温度が６０℃以上であると、室温下、湿潤状態にある尿吸収マット３中で該バインダーが溶け出すことがないので、尿吸収マット３は、その湿潤強度が一定に保たれて形状が崩れることがなく、取扱い及び廃棄が容易となる。尿吸収マット３は、前記バインダーを好ましくは１〜４５重量％、更に好ましくは５〜４５重量％、一層好ましくは７〜２０重量％含有する。
【００４２】
前記架橋剤としては、湿式抄紙法において一般に紙力増強剤として使用されるものを使用でき、例えば、ポリアミドアミン・エピクロルヒドリン樹脂、ポリアクリルアミド、ポリエチレン、メチロール化ポリアクリルアミド等を、これらの１種以上で用いることができる。架橋剤は、繊維間結合剤として単独でも使用でき、また、媒体として水を併用することもできる。尿吸収マット３は、前記架橋剤を好ましくは０．０１〜３重量％、更に好ましくは０．３〜１重量％含有する。
【００４３】
植物性繊維等の結合剤として水のみを使用する場合、尿吸収マット３の含水量は、好ましくは１〜２０重量％、更に好ましくは５〜２０重量％である。
【００４４】
尿吸収マット３は、前記の各成分（汚液処理基材、抗菌性を有するか又は有さない界面活性剤、抗菌剤及び繊維間結合剤）に加えて、必要に応じて、消臭剤、マスキング剤等の添加剤を適宜含有させることができる。これらの添加剤の含有量は好ましくは０．０１〜１重量％、更に好ましくは０．０３〜０．１重量％である。
【００４５】
尿吸収マット３は、乾式、湿式の何れの製造方法でも製造できる。乾式の製造方法としては、例えば、汚液処理基材である植物性繊維等に、界面活性剤、抗菌剤及び繊維間結合剤であるバインダー等を混合して混合物とし、該混合物を所定形状の型枠に入れて板状物とし、該板状物に熱プレス処理を施して予備的に脱水させた後、乾燥器等で該板状物を所望の含水率になるまで乾燥させる方法が採用できる。その際、熱プレス処理の条件は、嵩密度を前記範囲内とし、厚みを前記値以上とする観点から、プレス圧力が好ましくは４〜２４００ｋＰａ、更に好ましくは１０〜１０００ｋＰａであり、プレス温度が好ましくは６０〜１２０℃、更に好ましくは２０〜１０５℃であり、プレス時間が０．５〜２０分、更に好ましくは３〜５分である。一方、湿式の製造方法としては、例えば、一般の紙の製造で行われている長網式抄紙法や円網式抄紙法等が採用でき、公知の抄紙機が使用できる。湿式の製造方法では、繊維間結合剤として、前述の如く架橋剤（紙力増強剤）が好適に用いられる。
【００４６】
尿吸収マット３が粘土鉱物系材料を含んで構成されている場合、該粘土鉱物系材料としてはカオリン、ベントナイト、ゼオライト、ケイソウ土等が用いられる。
【００４７】
本発明は前記実施形態に制限されない。例えば前記実施形態においては、尿吸収マット３の上面に不織布４の固定手段を設けたが、これに代えて受け皿２の周縁部６に不織布４の固定手段を設けてもよい。例えば、受け皿２の周縁部６に面ファスナーのフック部材を取り付けることで、不織布４を尿吸収マット３に固定できる。この場合には、尿吸収マット３の上面よりも周縁部６の上端部を低くすることで、不織布４と尿吸収マット３の上面とが密接し易くなる。
【００４８】
別の固定手段として、平面視して受け皿２における周縁部６の形状と合致した形状となっている枠体からなり且つ受け皿２の周縁部６に係合可能な押さえ具を更に用意し、受け皿２と前記押さえ具との間に不織布４を介在させ、斯かる状態下に該押さえ具を受け皿２の周縁部６へ係合させることで、不織布４を尿吸収マット３上に固定できる。
【００４９】
また前記実施形態においては、４枚の尿吸収マット３を用いたが、小型のペットを対象とする場合には、小さめの受け皿を用い、尿吸収マットは１枚ないし２枚用いれば十分である。
【００５０】
また前記実施形態においては、折曲部５が受け皿２の中央部に位置していたが、折曲部５の位置はこれに限られない。
【００５１】
【発明の効果】
本発明のペット用トイレによれば、糞及び尿の何れも容易に且つ経済的に処理することができる。  本発明のペット用トイレは、特に犬用として有用である。
【図面の簡単な説明】
【図１】本発明のペット用トイレの一実施形態を示す一部破断斜視図である。
【図２】図１に示すペット用トイレの一部を分解して示す斜視図である。
【図３】尿吸収マットの飽和吸水量の測定方法を示す概略図である。
【図４】尿吸収マットの湿潤強度の測定方法を示す概略図である。
【図５】図１に示すペット用トイレの別の使用形態を示す斜視図である。
【符号の説明】
１  ペット用トイレ
２  受け皿
３  尿吸収マット
４  不織布
５  折曲部
６  周縁部
７  収容部
Ｈ  水平部
Ｖ  起立部
【図１】
0003574066.tif 000002
【図２】
0003574066.tif 000003
【図３】
0003574066.tif 000004
【図４】
0003574066.tif 000005
【図５】
0003574066.tif 000006